(57)【要約】【課題】電子機器本体に螺子を使用せずにインレットを固定する構造であってもこのインレットにＡＣコードを確実に固定できるＡＣコード脱落防止具を提供する。【解決手段】ＡＣコード脱落防止具１０は、装着具３０とＡＣコード４１のプラグ４０とを固定する固定具５０とを備えている。本体１２の表面１２ａと周縁部材２０ｂとの間には隙間が形成されており、この隙間に、装着具３０の挿込片３６が挿し込まれて装着具３０が安定して本体１２に装着される（固定される）こととなる。【選択図】図７
2011029129.tif 000002
【特許請求の範囲】
【請求項１】
本体凹部に組み込まれたインレットに挿し込まれたＡＣコードが前記インレットから抜け落ちないように固定するＡＣコード脱落防止具において、
前記本体凹部の開口の周縁部に装着される装着具と、
該装着具と前記ＡＣコードとを固定する固定具とを備えたことを特徴とするＡＣコード脱落防止具。
【請求項２】
前記装着具は、
前記開口の周縁部から突出した隣接する辺が連結した４枚の矩形の板状部材からなるものであり、
これら板状部材のいずれかには、前記固定具が係止される孔が形成されているものであることを特徴とする請求項１に記載のＡＣコード脱落防止具。
【請求項３】
前記固定具は、
その長手方向一端が前記装着具に係止されると共に、その長手方向他端に螺子が形成された２本の係止棒と、
これら２本の係止棒それぞれの長手方向他端に挿し込まれる挿込孔がその長手方向両端部に形成された、前記ＡＣコードをインレットに向けて押さえ付ける押付金具と、
前記螺子にねじ込まれて前記押付金具を前記インレットに向けて押さえ付けるナットとを備えたものであることを特徴とする請求項１又は２に記載のＡＣコード脱落防止具。
【請求項４】
前記インレットは、
前記本体凹部に挿し込まれる被挿込部材と、
前記本体の外表面のうち前記開口の前記周縁部に位置する周縁部材とを有するインレットであり、
前記装着具は、
前記板状部材が連結して形成した閉じた枠の前記本体と接する部分に、
前記本体の該表面と前記周縁部材との隙間に挿し込まれて固定される挿込片が形成されたものであることを特徴とする請求項１、２、又は３に記載のＡＣコード脱落防止具。
【請求項５】
前記固定具は、
前記装着具の孔に挿入されて係止される両端部と、
前記プラグに引っ掛けられて該プラグを固定する中央部とが形成された屈曲した針金状のものであることを特徴とする請求項２、３、又は４に記載のＡＣコード脱落防止具。
【請求項６】
前記固定具は、
プラグの肩部を押さえ付ける中央部が形成されたワイヤ固定具と、
該ワイヤ固定具の長手方向両端部に形成された孔が挿し込まれる、ねじが形成された上端部を持つ係止棒と、
前記ねじが捻じ込まれる雌ねじとを備えたものであることを特徴とする請求項２、３、又は４に記載のＡＣコード脱落防止具。
【請求項７】
前記係止棒は、
前記装着具の対向する板状部材に形成された孔を貫通するものであり、
貫通端には、抜け止めが取り付けられているものであることを特徴とする請求項６に記載のＡＣコード脱落防止具。
【請求項８】
前記固定具は、
前記装着具の４枚の前記板状部材の内側に固定された雌螺子と、
該雌螺子に捻じ込まれる雄螺子がその下端部に形成されると共に、上端部にも雄螺子が形成された棒状部材と、
その長手方向両端部に前記棒状部材の上端部が挿し込まれる孔が形成されると共に、その長手方向中央部に前記プラグの肩部に引っ掛けられる中央部が形成されたワイヤ固定具と、
該ワイヤ固定具の前記中央部が前記プラグの前記肩部に引っ掛けられてその長手方向両端部の孔が前記棒状部材の上端部が挿し込まれたときに、前記棒状部材の前記上端部の雄螺子に捻じ込まれる雌螺子を備えたことを特徴とする請求項１に記載のＡＣコード脱落防止具。
【請求項９】
前記固定具は、
樹脂製の結束紐と、
その長手方向中央部に前記プラグの肩部に引っ掛けられる中央部、及びその長手方向両端部に前記結束紐が通される屈曲部双方が形成されたワイヤ固定具とを備え、
前記装着具は、前記結束紐が通る角孔が形成されたものであることを特徴とする請求項１に記載のＡＣコード脱落防止具。
【請求項１０】
本体の凹部に組み込まれたインレットに挿し込まれたＡＣコードが前記インレットから抜け落ちないように固定するための固定部材において、
前記板状部材が連結して形成した閉じた枠の前記本体と接する部分に設けられ、
前記本体の表面と、前記本体凹部の開口の周縁部に位置する周縁部材との隙間に挿し込まれて固定される一対の挿込片を備えたことを特徴とする固定部材。
【請求項１１】
前記固定部材は、
前記一対の挿込片は本体に形成されたものであり、
該一対の挿込片それぞれの外側縁部から立ち上がった一対の板状部材を備え、
これら一対の板状部材の長手方向両端部をつなぐ一対の板状部材が、前記本体に形成されたものであることを特徴とする請求項１０に記載の固定部材。
【請求項１２】
本体凹部に組み込まれたインレットに挿し込まれたＡＣコードが前記インレットから抜け落ちないように固定するＡＣコード脱落防止具において、
前記本体凹部の開口の周縁部に装着される、該開口を囲むように連続して立ち並ぶ４枚の板状部材を有する装着具と、
その板状部材の本体と接する部分の該開口側に設けられた挿込辺と、
該装着具の４枚の板状部材のうち対向する一対の板状部材それぞれに形成されて内側に凸となった凸部に開けられた孔にその一端部が挿し込まれると共に該一端部とは反対側の他端部に雄ねじが形成された棒状固定具、及び、該棒状固定具の前記他端部の雄ねじに噛み合うと共にその長手方向両端部の内周面に雌ねじが形成された中空ジョイント、及び、該中空ジョイントの内周面の雌ねじのうち前記棒状固定具の雄ねじに噛み合う雌ねじとは反対側の雌ねじに噛み合う雄ねじがその一端部に形成されると共に前記装着具と前記ＡＣコードとを固定する屈曲した屈曲棒状固定具からなる固定具とを備えたことを特徴とするＡＣコード脱落防止具。
【請求項１３】
前記棒状固定具は、その一端部が前記凸部の孔に挿し込まれて回転自在に固定されているものであると共にその他端部に形成された雄ねじは所定方向回りのものであり、
前記屈曲棒状固定具の前記一端部に形成された前記雄ねじは、前記所定方向とは反対方向回りのものであり、
前記中空ジョイントを前記所定方向に回転させることにより、前記棒状固定具の前記他端部と前記屈曲棒状固定具の前記一端部は互いに接近し、前記中空ジョイントを前記反対方向に回転させることにより、前記棒状固定具の前記他端部と前記屈曲棒状固定具の前記一端部とは互いに遠ざかるものであることを特徴とする請求項１２に記載のＡＣコード脱落防止具。
【請求項１４】
前記装着具は、一枚の板をプレス加工して作製したものであることを特徴とする請求項１２又は１３に記載のＡＣコード脱落防止具。
【請求項１５】
本体凹部に組み込まれたインレットに挿し込まれたＡＣコードが前記インレットから抜け落ちないように固定するＡＣコード脱落防止具において、
前記本体凹部の開口の周縁部に装着される、該開口を囲むように連続して立ち並ぶ４枚の板状部材とその板状部材の本体と接する部分に挿し込み辺を有する装着具と、
該装着具の４枚の板状部材のうち対向する一対の板状部材それぞれに形成されて内側に凸となって外側に凹となった凹部に固定された、角孔が形成された補助板と、
樹脂製の結束紐と、
その長手方向中央部に前記プラグの肩部に引っ掛けられる中央部、及びその長手方向両端部に前記結束紐が掛け渡されるアーム部双方が形成されたワイヤ固定具とを備えたことを特徴とするＡＣコード脱落防止具。
【請求項１６】
本体凹部に組み込まれたインレットに挿し込まれたＡＣコードが前記インレットから抜け落ちないように固定するＡＣコード脱落防止具において、
前記本体凹部の開口の周縁部に装着される、該開口を囲むように連続して立ち並ぶ４枚の板状部材とその板状部材の本体と接する部分に挿し込み辺を有する装着具と、
該装着具の４枚の板状部材のうち対向する一対の板状部材それぞれに形成されて内側に凸となって外側に凹となった凹部に固定された、角孔が形成された補助板と、
樹脂製の結束紐と、
前記プラグを通すことができ、ＡＣコードの軸に対して９０度回転することでＡＣコードプラグ肩部が抜けなくなる略長方形環状のワイヤ固定具とを備えたことを特徴とするＡＣコード脱落防止具。
【発明の詳細な説明】
【技術分野】
【０００１】
本発明は、例えば通信機器やパーソナルコンピュータのＡＣインレットに挿し込まれるＡＣコードのプラグがＡＣインレットから不用意に脱落することを防止するＡＣコード脱落防止具に関する。
【背景技術】
【０００２】
通信機器やパーソナルコンピュータに用いられるコネクタの多くは使用中にコネクタに挿し込んだケーブルが不用意に抜けることが無いように、コネクタ自身に勘合相手と組になったコネクタ抜けどめが装備されている。このようなコネクタは使用中にコネクタが抜けることは無く、トラブルが発生しないように考慮されている。しかし、一部のコネクタには上記のような抜けどめが装備されていないため抜け易いものがある。このようなコネクタの中には電源ユニットの入力部に用いられるＡＣインレットとＡＣコードとの組み合わせがある。
【０００３】
本来、ＡＣインレットに挿し込まれるケーブルであるＡＣコードは、そのプラグが確実にＡＣインレットに挿し込まれ、容易に抜け落ちないことが必要とされるが、実際には脱落防止機構が無いので、ＡＣコードがＡＣインレットから抜け落ちやすい欠点がある。
【０００４】
ねじ固定式ＡＣインレットでは、ＡＣインレットの取り付けがネジ固定式であり、このため、ＡＣインレット自身を装置本体に取り付けるためのネジで共締めし、若しくはこのネジ自体に取り付けるタイプのＡＣコード脱落防止具が提案されている（例えば、特許文献１参照。）。
【０００５】
非ネジ固定式（挿し込み固定型）ＡＣインレットでは前記ＡＣコード脱落防止具を固定するためには必然的に在るべきネジが無いため、上記のＡＣコード脱落防止具が使用できず、挿し込み具合が硬いＡＣコードを選ぶことにより、ＡＣコードの脱落を防止しようとしているが、確実性に問題があり、信頼性を必要とするインフラ用装置などでは大きな問題になっている。
【先行技術文献】
【特許文献】
【０００６】
【特許文献１】特開平４−１６２９６８号公報
【発明の概要】
【発明が解決しようとする課題】
【０００７】
非ネジ固定式ＡＣインレットではＡＣコード脱落防止具を共締め可能なネジが無いだけでなく、非ネジ固定式ＡＣインレットを使用する目的の一つにＡＣインレットの実装に許される実装面積が限られることがある。非ネジ固定式である挿し込み型ＡＣインレットを使用する場合、その周辺には空きスペースがないことが少なくない。このため、ＡＣコード脱落防止具を固定するために新たにネジ止め部を用意することもできず、有効なＡＣコード脱落防止策の実現が困難である。このために、実装面積の制限が優先される場合はＡＣコード脱落防止具無しでＡＣコード脱落事故の危険性を内在したまま製造され使用されてきた設備が多々があるのが現状である。
【０００８】
本発明は、上記事情に鑑み、
【０００９】
（１）ＡＣインレットにネジなしにＡＣコード脱落防止具を固定する仕掛けを考案することにより、挿し込み固定式のＡＣインレットにおいてもＡＣコードの脱落を防止できると共に、（２）今まで挿し込み固定式のＡＣインレットに使用できるＡＣコード脱落防止具が無いために、既にＡＣコード脱落防止具なしで製造され稼動している多くの装置に、本体装置を分解したりＡＣインレットを取り外したりすることなく追加実装可能なＡＣコード脱落防止具、及びＡＣコードがＡＣインレットから抜け落ちないように固定するための固定部材を提供することを目的とする。
【課題を解決するための手段】
【００１０】
上記目的を達成するための本発明のＡＣコード脱落防止具は、本体凹部に組み込まれたインレットに挿し込まれたＡＣコードが前記インレットから抜け落ちないように固定するＡＣコード脱落防止具において、
（１）前記本体凹部の開口の周縁部に挿し込み辺により装着される装着具と、
（２）該装着具と前記ＡＣコードとを固定する固定具とを備えたことを特徴とするものである。
【００１１】
ここで、前記装着具は、
（３）前記開口の周縁部から突出して互いに連結した４枚の矩形の板状部材からなるものであり、
（４）これら板状部材のいずれかには、前記固定具が係止される孔が形成されているものであってもよい。
【００１２】
また、前記固定具は、
（５）その長手方向一端が前記装着具に係止されると共に、その長手方向他端に螺子が形成された２本の係止棒と、
（６）これら２本の係止棒それぞれの長手方向他端に挿し込まれる挿込孔がその長手方向両端部に形成された、前記ＡＣコードをインレットに向けて押さえ付ける押付金具と、
（７）前記螺子にねじ込まれて前記押付金具を前記インレットに向けて押さえ付けるナットとを備えたものであってもよい。
【００１３】
さらに、前記インレットは、
（８）前記本体凹部に挿し込まれる被挿込部材と、
（９）前記本体の外表面のうち前記開口の前記周縁部に位置する周縁部材とを有する挿し込み型インレットであり、
（１０）前記装着具は、前記本体の該表面と前記周縁部材との隙間に挿し込まれて固定される挿込片が形成されたものであってもよい。
【００１４】
さらにまた、前記固定具は、
（１１）前記装着具の孔に挿入されて係止される両端部と、
（１２）前記ＡＣコードに引っ掛けられて該ＡＣコードを固定する中央部とが形成された、屈曲した針金状のものであってもよい。
【００１５】
さらにまた、前記固定具は、
（１３）プラグの肩部を押さえ付ける中央部が形成されたワイヤ固定具と、
（１４）該ワイヤ固定具の長手方向両端部に形成された孔に挿し込まれる、ねじが形成された上端部を持つ係止棒と、
（１５）  前記ねじが捻じ込まれる雌ねじとを備えたものであってもよい。
【００１６】
さらにまた、前記係止棒は、
（１６）前記装着具の対向する板状部材に形成された孔を貫通するものであり、
（１７）貫通端には、抜け止めが取り付けられているものであってもよい。
【００１７】
さらにまた、前記固定具は、
（１８）前記装着具の４枚の前記板状部材の内側に固定された雌螺子と、
（１９）該雌螺子に捻じ込まれる雄螺子がその下端部に形成されると共に、上端部にも雄螺子が形成された棒状部材と、
（２０）その長手方向両端部に前記棒状部材の上端部が挿し込まれる孔が形成されると共に、その長手方向中央部に前記プラグの肩部に引っ掛けられる中央部が形成されたワイヤ固定具と、
（２１）該ワイヤ固定具の前記中央部が前記プラグの前記肩部に引っ掛けられてその長手方向両端部の孔に前記棒状部材の上端部が挿し込まれたときに、前記棒状部材の前記上端部の雄螺子に捻じ込まれる雌螺子を備えてもよい。
【００１８】
さらにまた、前記固定具は、
（２２）樹脂製の結束紐と、
（２３）その長手方向中央部に前記プラグの肩部に引っ掛けられる中央部、及びその長手方向両端部に前記結束紐が通される屈曲部双方が形成されたワイヤ固定具とを備え、
（２４）前記装着具は、前記結束紐が通る孔が形成されたものであってもよい。
【００１９】
ここで、本発明にいうＡＣコードとは、一端にインレットに挿し込むプラグが固定されると共に、他端に壁コンセントに挿込むプラグが固定された電源ケーブルをいう。
【００２０】
また、上記目的を達成するための本発明の固定部材は、本体の凹部に組み込まれたインレットに挿し込まれたＡＣコードが前記インレットから抜け落ちないように固定するための固定部材において、
（２５）前記本体の表面と、前記本体凹部の開口の周縁部に位置する周縁部材との隙間に挿し込まれて固定される一対の挿込片を備えたことを特徴とするものである。
【００２１】
ここで、前記固定部材は、
（２６）前記一対の挿込片は本体に形成されたものであり、該一対の挿込片それぞれの外側縁部から立ち上がった一対の板状部材と、これら一対の板状部材の長手方向両端部をつなぐ一対の板状部材が、前記本体に形成されたものであってもよい。
【００２２】
また、上記目的を達成するための本発明のＡＣコード脱落防止具は、本体凹部に組み込まれたインレットに挿し込まれたＡＣコードが前記インレットから抜け落ちないように固定するＡＣコード脱落防止具において、
（２７）前記本体凹部の開口の周縁部に装着される、該開口を囲むように連続して立ち並ぶ４枚の板状部材を有する装着具と、
（２８−１）該装着具の４枚の板状部材のうち対向する一対の板状部材それぞれに形成されて内側に凸となった凸部に開けられた孔にその一端部が挿し込まれると共に該一端部とは反対側の他端部に雄ねじが形成された棒状固定具、及び、
（２８−２）該棒状固定具の前記他端部の雄ねじに噛み合うと共にその長手方向両端部の内周面に雌ねじが形成された中空ジョイント、及び、
（２８−３）該中空ジョイントの内周面の雌ねじのうち前記棒状固定具の雄ねじに噛み合う雌ねじとは反対側の雌ねじに噛み合う雄ねじがその一端部に形成されると共に前記装着具と前記ＡＣコードとを固定する屈曲した屈曲棒状固定具からなる固定具とを備えたことを特徴とするものである。
【００２３】
ここで、
（２９）前記棒状固定具は、その一端部が前記凸部の孔に挿し込まれて回転自在に固定されているものであると共にその他端部に形成された雄ねじは所定方向回りのものであり、
（３０）前記屈曲棒状固定具の前記一端部に形成された前記雄ねじは、前記所定方向とは反対方向回りのものであり、
（３１）前記中空ジョイントを前記所定方向に回転させることにより、前記棒状固定具の前記他端部と前記屈曲棒状固定具の前記一端部は互いに接近し、前記中空ジョイントを前記反対方向に回転させることにより、前記棒状固定具の前記他端部と前記屈曲棒状固定具の前記一端部とは互いに遠ざかるものであってもよい。
【００２４】
さらに、
（３２）前記装着具は、一枚の板をプレス加工して作製したものであってもよい。
【００２５】
また、上記目的を達成するための本発明のＡＣコード脱落防止具は、本体凹部に組み込まれたインレットに挿し込まれたＡＣコードが前記インレットから抜け落ちないように固定するＡＣコード脱落防止具において、
（３３）前記本体凹部の開口の周縁部に装着される、該開口を囲むように連続して立ち並ぶ４枚の板状部材を有する装着具と、
（３４）該装着具の４枚の板状部材のうち対向する一対の板状部材それぞれに形成されて内側に凸となって外側に凹となった凹部に固定された、角孔が形成された補助板と、
（３５）樹脂製の結束紐と、
（３６）その長手方向中央部に前記プラグの肩部に引っ掛けられる中央部、及びその長手方向両端部に前記結束紐が掛け渡されるアーム部双方が形成されたワイヤ固定具とを備えたことを特徴とするものである。
（３７）前記ワイヤ固定具は、前記プラグを通すことができる略長方形環状であって、該ワイヤ固定具をＡＣコードの軸に対し９０度回転させることで前記プラグの肩部がワイヤ固定具から抜けなくなり、及びその短辺両端部に前記結束紐が掛け渡されるワイヤ固定具とを備えたものであってもよい。
【００２６】
また、本発明にいうインレットとは、ＡＣ電源入力部に用いるコネクタであって、通常は本体装置（例えば電源ユニットなど）の鉄板の孔（凹部）に装着される（組み込まれる）ものをいいます。
【発明の効果】
【００２７】
本発明のＡＣコード脱落防止具では、本体凹部の開口の周縁部に、本体部とＡＣインレットの間に挿し込まれる装着具の挿し込み辺によって装着具が装着され、この装着具とＡＣコードとが固定具によって固定される。従って、電子機器本体に螺子（ねじ）を使用せずにインレットを固定する構造であってもこのインレットにＡＣコードを確実に固定できる。この場合、インレットに新たな実装面積の追加は不要である。既設の装置への後付けができる。装着具はＡＣコードをインレットに差し込んでいない状態ではインレットに着脱自在だがＡＣコードをインレットに挿し込んだ状態では着脱が阻まれ、安全である。また、装着具を薄板製（金属製又は樹脂製）とすることにより装着具の製造性が向上する。
【図面の簡単な説明】
【００２８】
【図１】本発明の装着具を装着し始めの状態を示す斜視図である。
【図２】本発明の装着具を装着している途中の状態を示す斜視図である。
【図３】本発明の装着具を装着し終わった状態を示す斜視図である。
【図４】電気機器の本体の凹部に組み込む前のインレットを示す斜視図である。
【図５】電気機器の本体凹部に組み込まれたインレットを示す断面図である。
【図６】本発明の装着具を示す斜視図である。
【図７】装着具３０とＡＣコード４１のプラグ４０とを固定した固定具５０を示す斜視図である。
【図８】装着具３０とＡＣコード４１のプラグ４０とを固定した固定具６０を示す斜視図である。
【図９】（ａ）は、ＡＣコード４１のプラグ４０をインレット２０に挿し込んだだけの状態を示す斜視図であり、（ｂ）は、装着具３０とＡＣコード４１のプラグ４０とを固定した固定具７０を示す斜視図であり、（ｃ）は、固定具で固定されたＡＣコードとインレットを示す正面図であり、（ｄ）は、固定具で固定されたＡＣコードとインレットを示す上面図であり、（ｅ）は、固定具で固定されたＡＣコードとインレットを示す側面図であり、（ｆ）は、係止棒の一例を示す正面図であり、（ｇ）は、係止棒の他の例を示す正面図である。
【図１０】インレット２０に挿し込まれた、ＡＣコード４１のプラグ４０を固定具８０で固定した状態を示す斜視図である。
【図１１】インレット２０に挿し込まれた、ＡＣコード４１のプラグ４０を固定具９０で固定した状態を示す斜視図である。
【図１２】固定具９０を分解してプラグ４０と共に示す分解斜視図である。
【図１３】インレット２０に挿し込まれた、ＡＣコード４１のプラグ４０を固定具１００で固定した状態を示す斜視図である。
【図１４】固定具１００を分解してプラグ４０と共に示す分解斜視図である。
【図１５】インレット２０に挿し込まれた、ＡＣコード４１のプラグ４０を固定具１２０で固定した状態を示す斜視図である。
【図１６】インレット２０に挿し込まれた、ＡＣコード４１のプラグ４０を固定具１５０で固定した状態を示す斜視図である。
【図１７】固定具１５０を分解してプラグ４０と共に示す分解斜視図である。
【図１８】インレット２０に挿し込まれた、ＡＣコード４１のプラグ４０を固定具１８０で固定した状態を示す斜視図である。
【図１９】アームが形成されたワイヤ固定具を用いたＡＣコード脱落防止具でＡＣコードを固定した状態を示す斜視図である。
【図２０】実施例２のＡＣコード脱落防止具でＡＣコードを固定した状態を示す斜視図である。
【図２１】（ａ）は、中空ジョイントの螺子を示す説明図であり、（ｂ）は、屈曲棒状固定具を示す斜視図であり、（ｃ）は、棒状固定具を示す斜視図である。
【図２２】実施例３のＡＣコード脱落防止具でＡＣコードを固定した状態を示す斜視図である。
【図２３】実施例４のＡＣコード脱落防止具でＡＣコードを固定した状態を示す斜視図である。
【発明を実施するための形態】
【００２９】
本発明は、ＡＣコードが接続されたプラグを、電子機器の本体凹部に組み込まれたインレットに挿し込んで固定するときに使用するＡＣコード脱落防止具に実現された。
【実施例１】
【００３０】
図１から図６までを参照して、本発明の実施例１を説明する。
【００３１】
図１は、本発明の装着具を装着し始めの状態を示す斜視図である。図２は、本発明の装着具を装着している途中の状態を示す斜視図である。図３は、本発明の装着具を装着し終わった状態を示す斜視図である。図４は、電気機器の本体の凹部に組み込む前のインレットを示す断面図である。図５は、電気機器の本体凹部に組み込まれたインレットを示す断面図である。図６は、本発明の装着具を示す斜視図である。
【００３２】
本発明のＡＣコード脱落防止具１０は、電子機器などの本体１２の凹部１４に組み込まれたインレット２０に挿し込まれたＡＣコード４１のプラグ４０がインレット２０から不用意に抜け落ちないように固定するためのものである。ＡＣコード脱落防止具１０は、本体１２の凹部１４の開口１４ａの周縁部に着脱自在に装着される装着具（ワイヤ固定部、本発明にいう固定部材でもある）３０を備えている。ここでいう「着脱自在」とは、後付け可能ということをいう。また、この装着具３０を着脱自在にせずに、本体１２に予め作り付けておいてもよい。このようにしたものも本願発明の範囲に含まれる。
なお、図３の本発明の装着具３０を装着し終わったインレット２０にＡＣコードのプラグが挿し込まれた場合、装着具３０はインレット２０から取り外せなくできるので安全性に優れる。
【００３３】
本体１２の凹部１４には、インレット２０が組み込まれており、このインレット２０は、凹部１４に挿し込まれる（組み込まれる）被挿込部材２０ａと、本体１２の外表面のうち前記開口の前記周縁部に位置する周縁部材２０ｂとを有する挿し込み型インレットである。被挿込部材２０ａには、例えば３本の電気端子２１が固定されており、また、この被挿込部材２０ａが凹部１４から抜け出ることを防止するための板ばね製戻り止め２２が形成されている。本体１２の表面１２ａと周縁部材２０ｂとの間には隙間を形成することが可能であり、この隙間に、装着具３０の挿込片（挿し込み片）３６が挿し込まれて装着具３０が安定してインレット２０に装着される（固定される）こととなる。従って、上記の隙間の位置や間隔に応じて挿込片３６を適宜に作製することにより、各種サイズのインレット２０に対応できる装着具３０を得られる。
【００３４】
装着具３０は、上記の隙間に挿し込まれて固定される一対の挿込片３６を備えており、この一対の挿込片３６を囲むような矩形の４枚の板状部材３１，３２，３３，３４も備えている。これら４枚の板状部材３１，３２，３３，３４は本体１２の表面１２ａに直交する（開口１４ａの周縁部から突出している）。この装着具３０は、上記の隙間には矢印Ａ方向に挿入されて装着される。４枚の板状部材のうち矢印Ａ方向先端側（上流側）の板状部材３４には、周縁部材２０ｂを入れ込むための開口３４ｂが形成されている。また板状部材３２にも開口３４ｂに準じた開口部を形成することにより、ネジ止め式ＡＣインレットに対しても本装着具３０を利用できる。
【００３５】
４枚の矩形の板状部材３１，３２，３３，３４には、複数（図では、２つか３つ）の孔３１ａ、３２ａ、３３ａ、３４ａが形成されている。これらの孔３１ａ、３２ａ、３３ａ、３４ａは、後述する固定具を引っ掛けるためのものである。ここで、固定具について説明する。
【００３６】
本発明のＡＣコード脱落防止具１０は、上記の装着具３０の他、ＡＣコード４１のプラグ４０とを固定する固定具５０も備えている。この固定具５０には各種のタイプ（種類）があるので、各種の例を図を参照しながら説明する。
【００３７】
図７を参照して、固定具５０の実施例１を説明する。図７は、装着具３０とＡＣコード４１のプラグ４０とを固定した固定具５０を示す斜視図である。この図では、図１から図６までに示す構成要素と同じ構成要素には同じ符号が付されている。
【００３８】
図７に示す固定具５０の実施例１は、ワイヤスプリング固定具５０という屈曲した針金状のものである。このワイヤスプリング固定具５０には、装着具３０の板状部材３４の２つの孔３４ａに挿入されて係止される両端部５１，５１と、ＡＣコード４１のプラグ４０の肩部４２に引っ掛けられてこのＡＣコード４１のプラグ４０を固定する中央部５２とが形成されている。また、両端部５１，５１と中央部５２の間の部分５４は、折れ曲がっており、この部分５４がバネ性（弾力性）を有している。従って、プラグ４０のサイズが多少違っても、その違いを吸収できる。
【００３９】
ワイヤスプリング固定具５０を用いたＡＣコード脱落防止具１０でＡＣコード４１のプラグ４０をインレット２０（図５参照）に固定する場合、ＡＣコード４１のプラグ４０をインレット２０に挿し込んでおき、ワイヤスプリング固定具５０の中央部５２をＡＣコード４１のプラグ４０の肩部４２に引っ掛け、続いて、両端部５１，５１を引っ張って部分５４を伸ばして、両端部５１，５１の先端５１ａ，５１ａを装着具３０の板状部材３４の２つの孔３４ａに挿入して係止させる。これにより、図７に示すような状態となり、ＡＣコード４１のプラグ４０がインレット２０に固定される。
【００４０】
図８を参照して、固定具の実施例２を説明する。図８は、装着具３０とＡＣコード４１のプラグ４０とを固定した固定具６０を示す斜視図である。この図では、図１から図６までに示す構成要素と同じ構成要素には同じ符号が付されている。
【００４１】
図８に示す固定具６０の実施例２は、２本の係止棒６２と、押付金具６４と、２つのナット６６からなるものである。各係止棒６２の長手方向一端は装着具３０の板状部材３１，３３の孔３１ａ，３３ａに係止される一方、その長手方向他端部には螺子が形成されており、ナット６６が捻じ込まれる。
【００４２】
この固定具６０を用いたＡＣコード脱落防止具１０でＡＣコード４１のプラグ４０をインレット２０（図５参照）に固定する場合、ＡＣコード４１のプラグ４０をインレット２０に挿し込んでおき、２本の係止棒６２の長手方向一端を孔３１ａ，３３ａに挿し込んで係止させ、押付金具６４をＡＣコード４１のプラグ４０の肩部４２に引っ掛け、続いて、ナット６６を長手方向他端部の螺子に捻じ込んで押付金具６４を肩部４２に押し付ける。これにより、図８に示すようにＡＣコード４１のプラグ４０がインレット２０に固定される。
【００４３】
図９を参照して、固定具の実施例３を説明する。図９（ａ）は、ＡＣコード４１のプラグ４０をインレット２０に挿し込んだだけの状態を示す斜視図であり、（ｂ）は、装着具３０とＡＣコード４１のプラグ４０とを固定した固定具７０を示す斜視図であり、（ｃ）は、固定具で固定されたＡＣコードとインレットを示す正面図であり、（ｄ）は、固定具で固定されたＡＣコードとインレットを示す上面図であり、（ｅ）は、固定具で固定されたＡＣコードとインレットを示す側面図であり、（ｆ）は、係止棒の一例を示す正面図であり、（ｇ）は、係止棒の他の例を示す正面図である。これらの図では、図１から図６までに示す構成要素と同じ構成要素には同じ符号が付されている。
【００４４】
図９に示す固定具７０の実施例３は、２本の係止棒７２，７４を、押付金具７６と、２つの摘み状ナット７８からなるものである。係止棒７２の長手方向一端は装着具３０の板状部材３１の孔３１ａに挿入されて板状部材３３の孔３３ａまで到達して係止される。係止棒７２は２つの孔３１ａ，３３ａに係止されることとなるので、安定性が向上する。一方、係止棒７４の長手方向一端は、板状部材３２の孔３２ａに挿入されて係止される。２本の係止棒７２，７４の長手方向他端部（上端部）には螺子が形成されており、ナット７８が捻じ込まれる。
【００４５】
この固定具７０を用いたＡＣコード脱落防止具１０でＡＣコード４１のプラグ４０をインレット２０（図５参照）に固定する場合、ＡＣコード４１のプラグ４０をインレット２０に挿し込んでおき、係止棒７２の長手方向一端を孔３１ａ，３３ａに挿し込んで係止させ、係止棒７４の長手方向一端を孔３２ａに挿し込んで係止させる。押付金具７６の長手方向中央部をＡＣコード４１のプラグ４０の肩部４２に引っ掛け、続いて、押付金具７６の長手方向両端部に形成された円形孔部を係止棒７２，７４の上端部に挿し込んでナット７８を上から螺子に捻じ込んで押付金具６４を肩部４２に押し付ける。これにより、図８に示すようにＡＣコード４１のプラグ４０がインレット２０に固定される。
【００４６】
図１０を参照して、固定具の実施例４を説明する。図１０は、インレット２０に挿し込まれた、ＡＣコード４１のプラグ４０を固定具で固定した状態を示す斜視図である。
【００４７】
図１０に示す固定具８０の実施例４は、ワイヤ固定具８０という屈曲した針金状のものである。このワイヤ固定具８０には、装着具３０の板状部材３１の孔３１ａに挿入されて係止される両端部８１と、ＡＣコード４１のプラグ４０の肩部４２に引っ掛けられてこのＡＣコード４１のプラグ４０を固定する中央部８２とが形成されている。また、両端部５１，５１と中央部５２の間の部分８４は、折れ曲がっている。
【００４８】
ワイヤ固定具８０を用いたＡＣコード脱落防止具１０でＡＣコード４１のプラグ４０をインレット２０（図５参照）に固定する場合、ＡＣコード４１のプラグ４０をインレット２０に挿し込んでおき、ワイヤ固定具８０の中央部８２をＡＣコード４１のプラグ４０の肩部４２に引っ掛け、続いて、両端部８１を引っ張って部分８４を伸ばして、両端８１の先端８１ａを装着具３０の板状部材３１の孔３１ａに挿入して係止させる。これにより、図１０に示すような状態となり、ＡＣコード４１のプラグ４０がインレット２０に固定される。このワイヤ固定具８０は、針金を曲げて作製するので、容易に作製できる。
【００４９】
図１１と図１２を参照して、固定具の実施例５を説明する。図１１は、インレット２０に挿し込まれた、ＡＣコード４１のプラグ４０を固定具９０で固定した状態を示す斜視図である。図１２は、固定具９０を分解してプラグ４０と共に示す分解斜視図である。
【００５０】
固定具９０を用いたＡＣコード脱落防止具１０でＡＣコード４１のプラグ４０をインレット２０（図５参照）に固定する場合、ＡＣコード４１のプラグ４０をインレット２０に挿し込んでおき、屈曲したワイヤ固定具９２の中央部９４をＡＣコード４１のプラグ４０の肩部４２に引っ掛け、続いて、板状部材３１，３３の孔３１ａ，３３ａに下端部１０１ａ（もう一方は、示さず）を引っ掛けて立てた状態の棒状部材（係止棒）１０１，１０２の上端部を両端部の孔９６に挿し込む。続いて、この上端部は、螺子が切られているので、この螺子の部分に、雄ねじを切った摘み状ナット１０３をねじこんでワイヤ固定具９２を下方に押し下げてプラグ４０を固定する。
【００５１】
この固定具９０は、プラグ４０の高さが異なっている場合は、係止棒１０１，１０２にねじ込んだ摘み状ナット１０３の位置を適宜に変えることにより対応できる。また、プラグ４０の幅が異なっている場合は、ワイヤ固定具９２のサイズを適宜に変えることにより対応できる。従って、各種サイズのプラグ４０に好適に対応できることとなる。
【００５２】
図１３と図１４を参照して、固定具の実施例６を説明する。図１３は、インレット２０に挿し込まれた、ＡＣコード４１のプラグ４０を固定具１００で固定した状態を示す斜視図である。図１４は、固定具１００を分解してプラグ４０と共に示す分解斜視図である。
【００５３】
固定具１００を用いたＡＣコード脱落防止具１０でＡＣコード４１のプラグ４０をインレット２０（図５参照）に固定する場合、ＡＣコード４１のプラグ４０をインレット２０に挿し込んでおき、屈曲したワイヤ固定具１１０の中央部１１２をＡＣコード４１のプラグ４０の肩部４２に引っ掛け、続いて、板状部材３４の孔３４ａに下端部１１６ａを引っ掛けて立てた状態の棒状部材（係止棒）１１６，１１６の上端部を両端部の孔１１４に挿し込む。続いて、この上端部は螺子が切られているので、この螺子の部分に摘み状ナット１１３をねじこんでワイヤ固定具１１０を下方に押し下げてプラグ４０を固定する。
【００５４】
この固定具１００は、プラグ４０の高さが異なっている場合は、係止棒１１６，１１６にねじ込んだ摘み状ナット１１３の位置を適宜に変えることにより対応できる。また、プラグ４０の幅が異なっている場合は、ワイヤ固定具１１６のサイズ（中央部１１２周辺の形状）を適宜に変えることにより対応できる。従って、各種サイズのプラグ４０に好適に対応できることとなる。
【００５５】
図１５を参照して、固定具の実施例７を説明する。図１５は、インレット２０に挿し込まれた、ＡＣコード４１のプラグ４０を固定具１２０で固定した状態を示す斜視図である。
【００５６】
固定具１２０は、プラグ４０の肩部４２を押さえ付ける中央部１３２がされたワイヤ固定具１３０と、このワイヤ固定具１３０の長手方向両端部に形成された孔１３０ａに挿し込まれる、ねじ１３６ａが形成された上端部１３６ａを持つ係止棒１３４，１３６と、ねじ１３６ａに捻じ込まれる雌ねじ１４０、１４２の３種類の部材から構成されている。係止棒１３４，１３６は、同じサイズ、同じ形状であり、対になった板状部材３１，３３のいずれか一方の孔３１ａ，３３ａから挿し込まれて他方の孔に到達しやや飛び出る。この飛び出た部分（貫通端）はＥリング１２１（本発明にいう「抜け止め」の一例である。）で抜け止めされる。従って、２本の係止棒１３４，１３６は、装着具３０から抜け落ちることはなく、板状部材３１，３４に平行な部分１３４ｈ、１３６ｈを回転軸にして自在に回転するので、不使用時は収納に便利になる。
【００５７】
固定具１２０を用いたＡＣコード脱落防止具１０でＡＣコード４１のプラグ４０をインレット２０（図５参照）に固定する場合、ＡＣコード４１のプラグ４０をインレット２０に挿し込んでおき、屈曲したワイヤ固定具１３０の中央部１３２をＡＣコード４１のプラグ４０の肩部４２に引っ掛け、続いて、その長手方向両端部の孔１３０ａに、棒状部材（係止棒）１３４，１３６の上端部の螺子を挿し込む。続いて、この螺子の部分に雌ねじ１４０、１４２をねじこんでワイヤ固定具１３０を下方に押し下げてプラグ４０を固定する。
【００５８】
この固定具１２０は、プラグ４０の高さが異なっている場合は、係止棒１３４，１３６に捻じ込んだ摘み状ナット１４０，１４２の位置を適宜に変えることにより対応できる。また、プラグ４０の幅が異なっている場合は、ワイヤ固定具１３０のサイズ（中央部１３２周辺の形状）を適宜に変えることにより対応できる。従って、各種サイズのプラグ４０に好適に対応できることとなる。
【００５９】
図１６と図１７を参照して、固定具の実施例８を説明する。図１６は、インレット２０に挿し込まれた、ＡＣコード４１のプラグ４０を固定具１５０で固定した状態を示す斜視図である。図１７は、固定具１５０を分解してプラグ４０と共に示す分解斜視図である。
【００６０】
固定具１５０の特徴は、板状部材３１、３２、３３、３４の孔に代えて、装着具３０の内側に２つの雌螺子１５２，１５４を溶接などで固定した点にある。２つの雌螺子１５２，１５４には、棒状部材１５６、１５８の下端部の雄螺子１５６ａ，１５８ａが捻じ込まれる。これにより、棒状部材１５６、１５８は安定して装着具３０に固定される。なお、ここでは、２つの雌螺子１５２，１５４としたが、四隅に４つの雌螺子を固定してもよい。また、固定方法も溶接に限定されない。
【００６１】
固定具１５０を用いたＡＣコード脱落防止具１０でＡＣコード４１のプラグ４０をインレット２０（図５参照）に固定する場合、ＡＣコード４１のプラグ４０をインレット２０に挿し込んでおき、屈曲したワイヤ固定具１６０の中央部１６２をＡＣコード４１のプラグ４０の肩部４２に引っ掛け、続いて、その長手方向両端部の孔１６０ａに、棒状部材（係止棒）１５６、１５８の上端部の螺子１５６ｂ，１５８ｂを挿し込む。続いて、この螺子の部分に雌ねじ１７０、１７２をねじこんでワイヤ固定具１３０を下方に押し下げてプラグ４０を固定する。
【００６２】
この固定具１５０は、プラグ４０の高さが異なっている場合は、棒状部材１５６、１５８にねじ込んだ摘み状ナット１７０，１７２の位置を適宜に変えることにより対応できる。また、プラグ４０の幅が異なっている場合は、ワイヤ固定具１６０のサイズ（中央部１６２周辺の形状）を適宜に変えることにより対応できる。従って、各種サイズのプラグ４０に好適に対応できることとなる。また、装着具３０の内側に２つの雌螺子１５２，１５４が固定されているので、装着具３０の外側に利用できる空間（スペース）が無くても、ＡＣコード４１のプラグ４０をインレット２０（図５参照）に固定できる。なお、上記した例では、雌ねじ１７０と棒状部材１５６を別体としたが、これらを一体のものとして予め形成しておき、雌ねじ１７０に相当する部分をつまみとして利用してもよい。
【００６３】
図１８を参照して、固定具の実施例９を説明する。図１８は、インレット２０に挿し込まれた、ＡＣコード４１のプラグ４０を固定具１８０で固定した状態を示す斜視図である。固定具１８０の特徴は、プラグ４０を固定するために樹脂製の結束紐１８２を用いた点にある。装着具３０の板状部材３１、３２、３３、３４には、結束紐１８２を通すための孔３１ｃが形成されている。なお、樹脂製の結束紐１８２は一般的な市販品である。
【００６４】
固定具１８０を用いたＡＣコード脱落防止具１０でＡＣコード４１のプラグ４０をインレット２０（図５参照）に固定する場合、ＡＣコード４１のプラグ４０をインレット２０に挿し込んでおき、屈曲したワイヤ固定具１９０の中央部１９２をＡＣコード４１のプラグ４０の肩部４２に引っ掛け、続いて、その長手方向両端部の孔１９０ａに結束紐１８２を通し、さらに角孔３１ｃに結束紐１８２を通して、図１８に示すように強く結ぶ。これによりＡＣコード４１のプラグ４０をインレット２０（図５参照）に確実に固定できる。
【００６５】
なお、板状部材３４に形成した開口３４ｂと同様の開口を板状部材３２にも形成しておくことにより、装着具３０を螺子止め式のＡＣインレットにも装着できることとなる。この点は、実施例２、３、４についても同様である。
【００６６】
ネジ止め式ＡＣインレットを使用した本体装置でも、ＡＣコードの脱落防止具が装備されていないものがあります。これに従来式のＡＣコード脱落防止具をつけようとした場合、ネジをいったん完全に外さなければなりません。これは納入済みの装置では受け入れられません。しかし、上記の装着具（板状部材３２にも開口を形成したもの）を用いることにより、ネジを外す必要はなく、緩めるだけで装着具をネジ止め式ＡＣインレットに後付することができます。
【００６７】
また、図１８に示すワイヤ固定具１９０に代えて、図１９に示すワイヤ固定具１９０’を用いても良い。このワイヤ固定具１９０’には、その長手方向両端部に孔１９０ａが形成されておらず、孔１９０ａに代えてアーム１９０ａ’を形成して、このアーム１９０ａ’に結束紐１８２を引っ掛ける構造にしている。このようにしても、図１８と同様の効果が得られる。
【実施例２】
【００６８】
図２０を参照して、本発明の実施例２を説明する。
【００６９】
図２０は、実施例２のＡＣコード脱落防止具でＡＣコードを固定した状態を示す斜視図である。図２０では、図７に示す構成要素と同じ構成要素には同じ符号が付されている。
【００７０】
実施例２のＡＣコード脱落防止具２００は、装着具２１０と固定具２２０とを備えている。装着具２１０の基本的な構造は、図１から図６までを参照して説明した装着具３０と同様であり、図１から図６までと同じ構成要素には同じ符号が付されている。装着具２１０は、本体１２（図４参照）の凹部１４（図４参照）の矩形の開口１４ａ（図４参照）の周縁部に、本体部とＡＣインレットの間に挿し込まれる装着具の挿し込み辺３６（図４参照）によって装着されるものであり、この開口１４ａを囲むように連続して立ち並ぶ４枚の板状部材２０１，２０２，２０３，２０４を有する。この装着具２１０は、例えば一枚の板をプレス加工して作製したものであり、板状部材２０１、２０２、２０３、２０４と挿し込み辺３６は互いに接する辺が連結している。この装着具２１０の特徴はＡＣインレットに装着されるための開口部３４ｂ（図１参照）が板状部材２０１、２０２、２０３、２０４と挿し込み辺３６に囲まれた閉じた枠内にあり挿し込み辺を本体部とＡＣインレットの隙間に力を加えて挿し込んでも開口部３４ｂが変形しないことである。また前記閉じた枠により、ＡＣコード４１のプラグをインレットに挿し込んだときは装着具２１０をＡＣインレットから外せなくなるので安全性が確保される。更に、この装着具２１０の特徴は、４枚の板状部材２０１，２０２，２０３，２０４のうち対向する一対の板状部材２０１，２０３それぞれに形成されて内側に凸となった凸部２０１ａ（２０３ａは図示せず）が形成されており、この凸部２０１ａに孔が開けられている点にあり、固定具の一端部が装着具外周枠線の外にはみ出さず、本発明の脱落防止具がＡＣインレット周辺空間を不用意に必要とすることを避けている。凸部２０１ａは、図２０に示すように、細長い板状部材２０１の長手方向中央部のうち本体１２から離れた部分（上部）に形成され、装着具を装着したＡＣインレット２０と空間競合を生じない位置に設けられている。凸部２０１ａの孔には、後述する棒状固定具２３０の一端部が挿し込まれる。この棒状固定具に２３０ついて図２１（ｃ）を参照して説明する。
【００７１】
図２１（ｃ）は、棒状固定具を示す斜視図である。
【００７２】
棒状固定具２３０は、図２１（ｃ）に示すように全体形状が略Ｌ字状であり、図２１に示すように上記の凸部２０１ａの孔にその一端部２３０ａが挿し込まれてＥリングなどで回転自在に固定される。このため、棒状固定具２３０の他端部２３０ｂに、図２１（ａ）に示す中空ジョイント２４０をねじ込んだ状態で板状部材２０１の内側に倒して収納しておくことにより、細かい部品の収納性に優れた装着具２１０を得ることができる。
【００７３】
棒状固定具２３０を用いたＡＣコード脱落防止具２００でＡＣコード４１のプラグ４０をインレット２０（図５参照）に固定する場合、予め棒状固定具２３０のねじ部２３０ｂと屈曲棒状固定具２５０のねじ部２５４を中空ジョイント２４０の両端の回転方向が一致する雌ねじ部にねじ込ませて棒状固定具２３０と屈曲棒状固定具２５０が概ね離れた状態に連結しておく。
なお、棒状固定具２３０のねじ部２３０ｂと中空ジョイント２４０とは屈曲棒状固定具２５０の他端のねじ部２５６と共に図２０においてはＡＣコード４１のＡＣプラグ部４０に隠れた側にもあり、屈曲棒状固定具２５０の他端のねじ部２５６とＡＣプラグ４０に隠れた棒状固定具２３０のねじ部２３０ｂは同様に中空ジョイント２４０の両端の回転方向が一致する雌ねじ部にねじ込ませて棒状固定具２３０と屈曲棒状固定具２５０が概ね離れた状態に連結して固定具２２０を板状部材２０４側に倒しておく。次にＡＣコード４１のプラグ４０をＡＣインレットに挿し込み、続いて固定具２２０を起こして屈曲棒状固定具２５０の中央部２５２を、図２０に示すようにＡＣコード４１のプラグ４０の肩部４２に引っ掛け、２本の中空ジョイント２４０，２４０を回転させて屈曲棒状固定具２５０を下方に押し下げてプラグ４０を固定する。
【００７４】
なお、ＡＣコード脱落防止具２００では、プラグ４０の高さが異なっている場合は、２本の中空ジョイントを回転させて棒状固定具２３０と屈曲棒状固定具２５０の間の距離を適宜に変えることにより対応できる。
また、プラグ４０の幅が異なっている場合は、屈曲棒状固定具２５０のサイズ（中央部２５２周辺の形状）を適宜に変えることにより対応できる。従って、各種サイズのプラグ４０に好適に対応できることとなる。
【００７５】
また、棒状固定具２３０の他端部２３０ｂに形成された雄ねじは右回り（本願発明にいう所定方向回りの一例である。）であり、屈曲棒状固定具２５０の雄ねじ２５４は左回りである。従って、中空ジョイント２４０を右回りに回転させることにより、棒状固定具２３０の他端部２３０ｂと屈曲棒状固定具２５０の一端部２５０ｂは互いに接近し、中空ジョイント２４０を左回りに回転させることにより、棒状固定具２３０の他端部２３０ｂと屈曲棒状固定具２５０の一端部２５０ｂとは互いに遠ざかる。
【実施例３】
【００７６】
図２２を参照してＡＣコード脱落防止具の実施例３を説明する。
【００７７】
図２２は、ＡＣコード脱落防止具の実施例３を示す斜視図である。図２２では、図１９と図２０に示す構成要素と同じ構成要素には同じ符号が付されている。図２２に示すＡＣコード脱落防止具３００は、図１９に示すワイヤ固定具１９０’と結束紐１８２と、図２０に示す装着具２１０を利用したものである。装着具２１０の凸部２０１ａには、結束紐１８２を固定するための補助板２１０ｃが固定されている。従って、ＡＣコード脱落防止具３００でＡＣコード４１のプラグ４０をインレット２０（図５参照）に固定する場合、ＡＣコード４１のプラグ４０をインレット２０に挿し込んでおき、屈曲したワイヤ固定具１９０’の中央部１９２’をＡＣコード４１のプラグ４０の肩部４２に引っ掛け、続いて、その長手方向両端部のアーム１９０ａ’に結束紐１８２を通し、さらに補助板２１０ｃの角孔２１１ｃに結束紐１８２を通して、図２２に示すように強く結ぶ。これによりＡＣコード４１のプラグ４０をインレット２０（図５参照）に確実に固定できる。
【実施例４】
【００７８】
図２３を参照して本発明のＡＣコード脱落防止具の実施例４を説明する。
【００７９】
図２３は、本発明の実施例４を示す斜視図である。図２３では、図１９と図２０に示す構成要素と同じ構成要素には同じ符号が付されている。図２３に示すＡＣコード脱落防止具３１０は、略長方形環状のワイヤ固定具１９５と図１９に示す結束紐１８２と、図２０に示す装着具２１０を利用したものである。略長方形環状のワイヤ固定具１９５は長辺内側寸法がＡＣコード４１のプラグ部４０の幅より長く、短辺内側寸法がＡＣコード４１のプラグ部４０の幅より短く奥行きより長いので、ＡＣプラグ４０をワイヤ固定具１９５に通すことができるが略長方形環状のワイヤ固定具１９５をＡＣコード４１の軸上で９０度回転するとＡＣプラグ部４０は略長方形環状のワイヤ固定具１９５から抜けなくなる。
装着具２１０の凸部２０１ａには、結束紐１８２を固定するための補助板２１０ｃが固定されている。
従って、ＡＣコード脱落防止具３１０でＡＣコード４１のプラグ部４０をインレット２０（図５参照）に固定する場合、ＡＣコード４１のプラグ部４０をワイヤ固定具１９５の環に通し、ワイヤ固定具１９５をＡＣコードの軸に対し９０度回転させた状態でＡＣコード４１のプラグ部４０をインレット２０に挿し込んでおき、ワイヤ固定具１９５の両短辺に結束紐１８２,１８２を通し、さらに補助板２１０ｃの角孔２１１ｃに結束紐１８２を通して、図２２に示すように強く結ぶ。これによりＡＣコード４１のプラグ４０をインレット２０（図５参照）に確実に固定できる。
【符号の説明】
【００８０】
１０，２００，３００  ＡＣコード脱落防止具
１２  電子機器などの本体
１４  凹部
１４ａ  凹部の開口
２０  インレット
３０，２１０  装着具，固定部材
３１，３２，３３，３４  板状部材
３６  挿込片
４０  ＡＣコードのプラグ
４２  ＡＣコード
５０，６０，７０，８０，１２０，１３０，１５０，１８０，１９０，１９５，２２０  固定具
６２，６４，７２，７４  係止棒
６４  押付金具
６６，７８  ナット
１８２  結束紐
１９０’  ワイヤ固定具
２３０  棒状固定具
２４０  中空ジョイント
２５０  屈曲棒状固定具
【図１】
2011029129.tif 000003
【図２】
2011029129.tif 000004
【図３】
2011029129.tif 000005
【図４】
2011029129.tif 000006
【図５】
2011029129.tif 000007
【図６】
2011029129.tif 000008
【図７】
2011029129.tif 000009
【図８】
2011029129.tif 000010
【図９】
2011029129.tif 000011
【図１０】
2011029129.tif 000012
【図１１】
2011029129.tif 000013
【図１２】
2011029129.tif 000014
【図１３】
2011029129.tif 000015
【図１４】
2011029129.tif 000016
【図１５】
2011029129.tif 000017
【図１６】
2011029129.tif 000018
【図１７】
2011029129.tif 000019
【図１８】
2011029129.tif 000020
【図１９】
2011029129.tif 000021
【図２０】
2011029129.tif 000022
【図２１】
2011029129.tif 000023
【図２２】
2011029129.tif 000024
【図２３】
2011029129.tif 000025